(57)【特許請求の範囲】
【請求項１】
無線制御装置と基地局とを具備しており、下り共通チャネルを用いて複数のセルに対して同一の下り情報を送信する移動通信システムであって、
前記無線制御装置が下り情報を送信してから前記基地局が該下り情報を前記複数のセルの各々に対して送信するまでの遅延時間を測定する測定部と、
測定した前記遅延時間に基づいて前記基地局が前記下り情報を前記複数のセルの各々に対して送信するタイミングを制御する制御部と
を具備し、
前記測定部は、前記基地局における基地局共通フレームの送信タイミングと前記複数のセルの各々に固有のセル固有フレームの送信タイミングとの差であるセル固有タイミングオフセットと、前記セル固有フレームの送信タイミングと前記複数のセルの各々におけるセル共通チャネルフレームの送信タイミングとの差であるセル共通チャネルタイミングオフセットとの和に基づいて、前記遅延時間を測定することを特徴とする移動通信システム。
【請求項２】
基地局が下り共通チャネルを用いて複数のセルに対して同一の下り情報を送信する移動通信システムで用いられる無線制御装置であって、
前記無線制御装置が下り情報を送信してから前記基地局が該下り情報を前記複数のセルの各々に対して送信するまでの遅延時間を測定する測定部と、
測定した前記遅延時間に基づいて前記基地局が前記下り情報を前記複数のセルの各々に対して送信するタイミングを制御する制御部と
を具備し、
前記測定部は、前記基地局における基地局共通フレームの送信タイミングと前記複数のセルの各々に固有のセル固有フレームの送信タイミングとの差であるセル固有タイミングオフセットと、前記セル固有フレームの送信タイミングと前記複数のセルの各々におけるセル共通チャネルフレームの送信タイミングとの差であるセル共通チャネルタイミングオフセットとの和に基づいて、前記遅延時間を測定することを特徴とする無線制御装置。
【請求項３】
前記測定部は、前記無線制御装置と前記基地局との間のノード間同期確立時に取得するタイミング差情報に基づいて前記遅延時間を測定することを特徴とする請求項２に記載の無線制御装置。
【請求項４】
前記測定部は、前記無線制御装置と前記基地局との間の共通チャネル同期確立時に取得するタイミング差情報に基づいて前記遅延時間を測定することを特徴とする請求項２に記載の無線制御装置。
【請求項５】
前記制御部は、基準送信タイミングから前記遅延時間だけ遡ったタイミングで前記下り情報を送信するとともに、即時に該下り情報を前記複数のセルの各々に対して送信するように指示することを特徴とする請求項２に記載の無線制御装置。
【請求項６】
前記測定部は、測定した前記遅延時間と前記複数のセルにおける最大許容遅延時間との差である遅延時間差を測定し、
前記制御部は、前記下り情報を前記遅延時間差だけ遅延させた後に前記複数のセルの各々に対して送信するように指示することを特徴とする請求項２に記載の無線制御装置。
【請求項７】
前記制御部は、前記セル共通チャネルタイミングオフセットを調整することによって、前記基地局が前記下り情報を前記複数のセルの各々に対して送信するタイミングを制御することを特徴とする請求項２に記載の無線制御装置。
【請求項８】
前記測定部は、前記無線制御装置が前記下り情報を送信するタイミングと、前記基地局が送信する前記セル共通チャネルフレームの送信タイミングとの差に基づいて、前記遅延時間を測定することを特徴とする請求項２に記載の無線制御装置。
【発明の詳細な説明】
【技術分野】
【０００１】
本発明は、無線制御装置と基地局とを具備しており、下り共通チャネルを用いて複数のセルに対して同一の下り情報を送信する移動通信システム、無線制御装置及び基地局に関する。
【背景技術】
【０００２】
従来、Ｗ-ＣＤＭＡ方式の移動通信システムでは、移動局は、下り共通チャネルによって送信された下り情報を受信する場合、複数のセルの中から、受信したパイロットチャネルにおけるパスロスの最も小さなセルを、無線リンクを確立すべきセルとして検出し、検出したセルのみから下り共通チャネル（下り情報）を受信するように構成されている。
【０００３】
すなわち、従来のＷ-ＣＤＭＡ方式の移動通信システムでは、ソフトハンドオーバが可能な個別チャネルの場合と異なり、移動局は、複数のセルからの下り共通チャネル（下り情報）を受信するように構成されていない。
【非特許文献１】「Ｗ-ＣＤＭＡ移動通信方式」、立川敬二監修、丸善株式会社
【非特許文献２】３ＧＰＰ  ＴＳ  ２５.２１１  Ｒｅｌｅａｓｅ  １９９９
【発明の開示】
【発明が解決しようとする課題】
【０００４】
しかしながら、上述のように、従来のＷ-ＣＤＭＡ方式の移動通信システムでは、移動局は、１つのセルから送信される下り共通チャネルしか受信できないため、セル境界付近での高品質受信を実現するためには、下り共通チャネルの送信電力を増加させる必要があり、下り通信容量の劣化を招くという問題点があった。
【０００５】
そこで、本発明は、以上の点に鑑みてなされたもので、移動局において複数のセルからの下り共通チャネルを受信して合成することができるように、複数のセル間における下り共通チャネルの送信タイミングを制御する移動通信システム、無線制御装置及び基地局を提供することを目的とする。
【課題を解決するための手段】
【０００６】
本発明の第１の特徴は、無線制御装置と基地局とを具備しており、下り共通チャネルを用いて複数のセルに対して同一の下り情報を送信する移動通信システムであって、前記無線制御装置が下り情報を送信してから前記基地局が該下り情報を前記複数のセルの各々に対して送信するまでの遅延時間を測定し、測定した前記遅延時間に基づいて前記基地局が前記下り情報を前記複数のセルの各々に対して送信するタイミングを制御することを要旨とする。
【０００７】
本発明の第２の特徴は、基地局が下り共通チャネルを用いて複数のセルに対して同一の下り情報を送信する移動通信システムで用いられる無線制御装置であって、前記無線制御装置が下り情報を送信してから前記基地局が該下り情報を前記複数のセルの各々に対して送信するまでの遅延時間を測定する測定部と、測定した前記遅延時間に基づいて前記基地局が前記下り情報を前記複数のセルの各々に対して送信するタイミングを制御する制御部とを具備することを要旨とする。
【０００８】
かかる発明によれば、無線制御装置が下り情報を送信してから基地局が当該下り情報を複数のセルの各々に対して送信するまでの遅延時間に基づいて、当該基地局が当該下り情報を当該複数のセルの各々に対して送信するタイミングを制御することができるため、移動局において当該複数のセルからの下り共通チャネルを受信して合成することができる。
【０００９】
本発明の第２の特徴において、前記測定部が、前記無線制御装置と前記基地局との間のノード間同期確立時に取得するタイミング差情報に基づいて前記遅延時間を測定してもよい。
【００１０】
本発明の第２の特徴において、前記測定部が、前記無線制御装置と前記基地局との間の共通チャネル同期確立時に取得するタイミング差情報に基づいて前記遅延時間を測定してもよい。
【００１１】
本発明の第２の特徴において、前記測定部が、前記基地局における基地局共通フレームの送信タイミングと前記複数のセルの各々に固有のセル固有フレームの送信タイミングとの差であるセル固有タイミングオフセットと、前記セル固有フレームの送信タイミングと前記複数のセルの各々におけるセル共通チャネルフレームの送信タイミングとの差であるセル共通チャネルタイミングオフセットとの和に基づいて、前記遅延時間を測定してもよい。
【００１２】
本発明の第２の特徴において、前記制御部が、基準送信タイミングから前記遅延時間だけ遡ったタイミングで前記下り情報を送信するとともに、即時に該下り情報を前記複数のセルの各々に対して送信するように指示してもよい。
【００１３】
本発明の第２の特徴において、前記測定部が、測定した前記遅延時間と前記複数のセルにおける最大許容遅延時間との差である遅延時間差を測定し、前記制御部が、前記下り情報を前記遅延時間差だけ遅延させた後に前記複数のセルの各々に対して送信するように指示してもよい。
【００１４】
本発明の第３の特徴は、下り共通チャネルを用いて複数のセルに対して同一の下り情報を送信する基地局であって、無線制御装置が下り情報を送信してから前記基地局が該下り情報を前記複数のセルの各々に対して送信するまでの遅延時間と、前記複数のセルにおける最大許容遅延時間との差である遅延時間差を取得する取得部と、取得した前記遅延時間差だけ遅延させた後に、前記無線制御装置から送信された下り情報を前記複数のセルの各々に対して送信する送信部とを具備することを要旨とする。
【００１５】
本発明の第４の特徴は、下り共通チャネルを用いて複数のセルに対して同一の下り情報を送信する基地局であって、無線制御装置によって前記複数のセルの各々について指示された送信タイミングに従って、該無線制御装置から送信された下り情報を該複数のセルの各々に対して送信する送信部とを具備することを要旨とする。
【発明の効果】
【００１６】
以上説明したように、本発明によれば、移動局において複数のセルからの下り共通チャネルを受信して合成することができるように、複数のセル間における下り共通チャネルの送信タイミングを制御する移動通信システム、無線制御装置及び基地局を提供することができる。
【発明を実施するための最良の形態】
【００１７】
（本発明の第１の実施形態に係る移動通信システムの構成）
以下、図１乃至図５を参照して、本発明の第１の実施形態に係る移動通信システムの構成について説明する。図１は、本実施形態に係る移動通信システムの全体構成を示す図である。
【００１８】
本実施形態に係る移動通信システムは、図１に示すように、無線制御装置１０の配下に２つの基地局２０Ａ及び２０Ｂを具備しており、基地局２０Ａは、２つのセル１-１及び１-２を管理しており、基地局２０Ｂは、２つのセル２-１及び２-２を管理している。なお、本実施形態で用いられる「セル」は、従来のセル及びセクタの双方の概念を含むものとする。
【００１９】
また、本実施形態に係る移動通信システムにおいて、基地局は、下り共通チャネルを用いて複数のセルに対して、同一の下り情報を送信するように構成されている。
【００２０】
具体的には、基地局２０Ａは、セル１-１用下り共通チャネル及びセル１-２用下り共通チャネルを用いて、それぞれセル１-１及びセル１-２に対して同一の下り情報を送信する。また、基地局２０Ｂは、セル２-１用下り共通チャネル及びセル２-２用下り共通チャネルを用いて、それぞれセル２-１及びセル２-２に対して、基地局２０Ａによって送信される下り情報と同一の下り情報を送信する。
【００２１】
移動局３０は、セル１-１用下り共通チャネル、セル１-２用下り共通チャネル、セル２-１用下り共通チャネル及びセル２-２用下り共通チャネルによって、それぞれ、セル１-１、セル１-２、セル２-１及びセル２-２において送信されている同一の下り情報を受信して最大比合成又は選択合成するように構成されている。
【００２２】
なお、無線制御装置１０は、基地局２０Ａ及び２０Ｂを意識することなく、複数のセル１-１乃至２-２に対して下り情報を送信するように構成されていてもよいし、各基地局２０Ａ及び２０Ｂとの間で確立した１つのリンクを介して各基地局２０Ａ及び２０Ｂに対して下り情報を送信するように構成されていてもよい。
【００２３】
各基地局２０Ａ及び２０Ｂは、受信した下り情報を、収容している各セルに対して、各セル用下り共通チャネルを用いて送信するように構成されている。
【００２４】
図２に示すように、無線制御装置１０は、遅延時間測定部１１と、遅延時間記憶部１２と、送信タイミング制御部１３とを具備している。
【００２５】
遅延時間測定部１１は、無線制御装置１０が下り情報を送信してから、基地局２０Ａ（又は、２０Ｂ）が当該下り情報を複数のセル１-１や１-２（又は、２-１や２-２）の各々に対して送信するまでの遅延時間を測定するものである。
【００２６】
遅延時間測定部１１は、無線制御装置１０と基地局２０Ａ（又は、２０Ｂ）との間のノード間同期確立時に取得するタイミング差情報に基づいて上述の遅延時間を測定するように構成されていてもよい。
【００２７】
具体的には、図３に示すように、無線制御装置１０と基地局２０Ａ（又は、２０Ｂ）との間のノード間同期確立時に、当該無線制御装置１０は、当該基地局２０Ａ（又は、２０Ｂ）に対してノード同期要求信号を送信し、当該基地局２０Ａ（又は、２０Ｂ）は、当該ノード同期要求信号に応じてノード同期応答信号を当該無線制御装置１０に対して送信する。遅延時間測定部１１は、このときに受信したノード同期応答信号から上述のタイミング差情報（例えば、後述する「ＲＦＮ_ＢＦＮタイミングオフセット」）を取得する。
【００２８】
遅延時間記憶部１２は、セルごとの上述の遅延時間を記憶するものである。例えば、遅延時間記憶部１２は、図４に示すように、「基地局」と「セル」と「遅延時間」とを関連付けて記憶する。
【００２９】
図４の例では、無線制御装置１０が下り情報を送信してから基地局２０Ａが当該下り情報をセル１-１に対して送信するまでの遅延時間が「Ｘ１」である。
【００３０】
また、無線制御装置１０が下り情報を送信してから基地局２０Ａが当該下り情報をセル１-２に対して送信するまでの遅延時間が「Ｘ２」である。
【００３１】
また、無線制御装置１０が下り情報を送信してから基地局２０Ｂが当該下り情報をセル２-１に対して送信するまでの遅延時間が「Ｘ３」である。
【００３２】
さらに、無線制御装置１０が下り情報を送信してから基地局２０Ｂが当該下り情報をセル２-２に対して送信するまでの遅延時間が「Ｘ４」である。
【００３３】
送信タイミング制御部１３は、遅延時間記憶部１２に記憶されている遅延時間に基づいて、基地局２０Ａ（又は、２０Ｂ）が下り情報を複数のセルの各々に対して送信するタイミングを制御するものである。
【００３４】
具体的には、図５に示すように、送信タイミング制御部１３は、基準送信タイミングから遅延時間だけ遡ったタイミングで下り情報を送信するとともに、即時に当該下り情報を複数のセルの各々に対して送信するように指示する。
【００３５】
本実施形態では、送信タイミング制御部１３は、基準送信タイミングから遅延時間Ｘ１だけ遡ったタイミングで下り情報を送信すると共に、即時に当該下り情報をセル１-１に対して送信するように指示する。
【００３６】
また、送信タイミング制御部１３は、基準送信タイミングから遅延時間Ｘ２だけ遡ったタイミングで下り情報を送信すると共に、即時に当該下り情報をセル１-２に対して送信するように指示する。
【００３７】
また、送信タイミング制御部１３は、基準送信タイミングから遅延時間Ｘ３だけ遡ったタイミングで下り情報を送信すると共に、即時に当該下り情報をセル２-１に対して送信するように指示する。
【００３８】
さらに、送信タイミング制御部１３は、基準送信タイミングから遅延時間Ｘ４だけ遡ったタイミングで下り情報を送信すると共に、即時に当該下り情報をセル２-２に対して送信するように指示する。
【００３９】
（本実施形態に係る移動通信システムの動作）
図６を参照して、本実施形態に係る移動通信システムの動作について説明する。
【００４０】
図６に示すように、ステップＳ１００１において、無線制御装置１０の遅延時間測定部１１が、無線制御装置１０が下り情報を送信してから基地局２０Ａ及び２０Ｂの各々が当該下り情報を複数のセル１-１乃至２-２の各々に対して送信するまでの遅延時間を測定する。
【００４１】
ステップＳ１００２において、無線制御装置１０の遅延時間記憶部１２が、無線制御装置１０の遅延時間測定部１１によって測定された遅延時間を記憶する。
【００４２】
ステップＳ１００３において、無線制御装置１０の送信タイミング制御部１２が、基準送信タイミングから上述の遅延時間だけ遡ったタイミングで下り情報を送信すると共に、即時に当該下り情報を該当するセル１-１乃至２-２に対して送信するように指示する。
【００４３】
ステップＳ１００４において、各基地局２０Ａ及び２０Ｂは、受信した下り情報を、各セル用下り共通チャネルを用いて即時に送信する。その後、移動局３０は、複数のセル１-１乃至２-２において受信した複数の同一の下り情報について最大比合成又は選択合成する。
【００４４】
（本実施形態に係る移動通信システムの作用・効果）
本実施形態に係る移動通信システムによれば、無線制御装置１０が下り情報を送信してから基地局２０Ａ及び２０Ｂの各々が当該下り情報を複数のセル１-１乃至２-２の各々に対して送信するまでの遅延時間に基づいて、当該基地局２０Ａ及び２０Ｂの各々が当該下り情報を当該複数のセル１-１乃至２-２の各々に対して送信するタイミングを制御することができるため、移動局３０において当該複数のセル１-１乃至２-２からの下り共通チャネルを受信して合成することができる。
【００４５】
（本発明の第２の実施形態）
図７乃至図１０を参照して、本発明の第２の実施形態に係る移動通信システムについて説明する。以下、本実施形態に係る移動通信システムについて、上述の第１の実施形態に係る移動通信システムとの相違点を主として説明する。
【００４６】
本実施形態に係る無線制御装置１０の遅延時間測定部１１は、測定した遅延時間と、複数のセルにおける最大許容遅延時間との差である遅延時間差を測定するように構成されている。
【００４７】
遅延時間記憶部１２は、セルごとの遅延時間及び遅延時間差を記憶するものである。例えば、遅延時間記憶部１２は、図７に示すように、「基地局」と「セル」と「遅延時間」と「遅延時間差」とを関連付けて記憶する。
【００４８】
図７の例では、各セルにおける最大許容遅延時間が「Ｘ４」とされており、無線制御装置１０が下り情報を送信してから基地局２０Ａが当該下り情報をセル１-１に対して送信するまでの遅延時間が「Ｘ１」であり、セル１-１における遅延時間差が「Ｙ１（＝Ｘ４−Ｘ１）」である。
【００４９】
また、無線制御装置１０が下り情報を送信してから基地局２０Ａが当該下り情報をセル１-２に対して送信するまでの遅延時間が「Ｘ２」であり、セル１-２に係る遅延時間差が「Ｙ２（＝Ｘ４−Ｘ２）」である。
【００５０】
また、無線制御装置１０が下り情報を送信してから基地局２０Ｂが当該下り情報をセル２-１に対して送信するまでの遅延時間が「Ｘ３」であり、セル２-１に係る遅延時間差が「Ｙ３（＝Ｘ４−Ｘ３）」である。
【００５１】
さらに、無線制御装置１０が下り情報を送信してから基地局２０Ｂが当該下り情報をセル２-２に対して送信するまでの遅延時間が「Ｘ４」であり、セル２-２に係る遅延時間差が「Ｙ４（＝Ｘ４−Ｘ４＝０）」である。
【００５２】
送信タイミング制御部１３は、上述の遅延時間差を含む送信タイミング情報を送信することによって、下り情報を当該遅延時間差だけ遅延させた後に複数のセル１-１乃至２-２の各々に対して送信するように指示する。
【００５３】
具体的には、図８に示すように、送信タイミング制御部１３は、下り情報を含むセル１-１用共通チャネルを、受信時刻から遅延時間差Ｙ１だけ遅延させた後にセル１-１に対して送信するように指示する。
【００５４】
また、送信タイミング制御部１３は、下り情報を含むセル１-２用共通チャネルを、受信時刻から遅延時間差Ｙ２だけ遅延させた後にセル１-２に対して送信するように指示する。
【００５５】
また、送信タイミング制御部１３は、下り情報を含むセル２-１用共通チャネルを、受信時刻から遅延時間差Ｙ３だけ遅延させた後にセル２-１に対して送信するように指示する。
【００５６】
さらに、送信タイミング制御部１３は、下り情報を含むセル２-２用共通チャネルを、受信時刻から遅延時間差Ｙ４だけ遅延させた後（すなわち即時）にセル２-２に対して送信するように指示する。
【００５７】
なお、送信タイミング制御部１３は、上述の遅延時間差を含む送信タイミング情報の代わりに、セルごとの遅延時間及び複数のセルにおける最大許容遅延時間を含む送信タイミング情報を送信するように構成されていてもよい。
【００５８】
図９に示すように、本実施形態に係る基地局２０Ａは、当該基地局２０Ａが管理しているセルに対応するセル用管理部を具備している。図９には、かかるセル用管理部のうち、セル１-１用処理部２１及びセル１-２用処理部２２が代表して記載されている。
【００５９】
本実施形態において、基地局２０Ａの構成と基地局２０Ｂの構成とは、基本的に同一であるため、以下、基地局２０Ａの構成について説明する。また、本実施形態において、セル１-１用処理部２１の構成とセル１-２用処理部２２の構成とは、基本的に同一であるため、以下、セル１-１用処理部２１の構成について説明する。
【００６０】
図９に示すように、セル１-１用処理部２１は、信号受信部２１ａと、送信タイミング受信部２１ｂと、信号送信部２１ｃとを具備している。
【００６１】
信号受信部２１ａは、無線制御装置１０から送信されたセル１-１に対して下り共通チャネルを用いて送信すべき同一の下り情報を受信するものである。
【００６２】
送信タイミング情報受信部２１ｂは、無線制御装置１０から送信されたセル１-１に係る遅延時間差を含む送信タイミング情報を受信するものである。
【００６３】
なお、送信タイミング情報受信部２１ｂは、無線制御装置１０が下り情報を送信してから当該基地局２０Ａが当該下り情報をセル１-１に対して送信するまでの遅延時間及び複数のセル１-１乃至２-２における最大許容遅延時間を含む送信タイミング情報を受信して、受信した送信タイミング情報に基づいて上述の遅延時間差を算出するように構成されていてもよい。
【００６４】
信号送信部２１ｃは、無線制御装置１０から送信された下り情報を上述の遅延時間差だけ遅延させた後に、セル１-１に対して下り共通チャネルを用いて当該下り情報を送信するものである。
【００６５】
なお、信号送信部２１ｃは、無線制御装置１０によってセル１-１について指示された送信タイミングに従って、当該無線制御装置１０から送信された下り情報をセル１-１に対して送信するように構成されていてもよい。
【００６６】
図１０を参照して、本実施形態に係る移動通信システムの動作について説明する。
【００６７】
図１０に示すように、ステップＳ２００１において、無線制御装置１０の遅延時間測定部１１が、無線制御装置１０が下り情報を送信してから基地局２０Ａ及び２０Ｂの各々が当該下り情報を複数のセル１-１乃至２-２の各々に対して送信するまでの遅延時間を測定する。
【００６８】
ステップＳ２００２において、無線制御装置１０の遅延時間記憶部１２が、無線制御装置１０の遅延時間測定部１１によって測定された遅延時間を記憶する。
【００６９】
ステップＳ２００３において、無線制御装置１０の遅延時間測定部１１が、測定した遅延時間と、複数のセルにおける最大許容遅延時間との差である遅延時間差を算出する。
【００７０】
ステップＳ２００４において、無線制御装置１０の送信タイミング制御部１２が、上述の遅延時間差を含む送信タイミング情報を送信することによって、下り情報を当該遅延時間差だけ遅延させた後に複数のセル１-１乃至２-２の各々に対して送信するように指示する。
【００７１】
ステップＳ２００５において、各基地局２０Ａ及び２０Ｂは、受信した下り情報を、各セル用下り共通チャネルを用いて即時に送信する。その後、移動局３０は、複数のセル１-１乃至２-２において受信した複数の同一の下り情報について最大比合成又は選択合成する。
【００７２】
（本実施形態に係る移動通信システムの作用・効果）
本実施形態に係る移動通信システムによれば、無線制御装置１０が下り情報を送信してから当該基地局２０Ａ及び２０Ｂの各々が当該下り情報を複数のセル１-１乃至２-２の各々に対して送信するまでの遅延時間に基づいて、当該基地局２０Ａ及び２０Ｂの各々が当該下り情報を当該複数のセル１-１乃至２-２の各々に対して送信するタイミングを制御することができるため、移動局３０において当該複数のセル１-１乃至２-２からの下り共通チャネルを受信して合成することができる。
【００７３】
（変更例１）
本発明の変更例１に係る移動通信システムにおいて、無線制御装置１０の遅延時間測定部１１は、基地局２０Ａ（又は、２０Ｂ）における基地局共通フレームの送信タイミングと複数のセル１-１乃至２-２の各々に固有のセル固有フレームの送信タイミングとの差である「セル固有タイミングオフセット」と、当該セル固有フレームの送信タイミングと複数のセル１-１乃至２-２の各々におけるセル共通チャネルフレームの送信タイミングとの差である「セル共通チャネルタイミングオフセット」との和に基づいて、上述の遅延時間を測定するように構成されていてもよい。
【００７４】
本変更例１に係る遅延時間の測定方法の一例を、図１１を参照して説明する。
【００７５】
図１１は、無線制御装置１０フレームの送信タイミング（ＲＦＮのタイミング）と、基地局２０Ａ共通フレームの送信タイミング（ＢＦＮのタイミング）と、セル１-１固有フレームの送信タイミング（ＳＦＮのタイミング）と、セル１-１共通チャネルフレームの送信タイミング（ＭＦＮのタイミング）とを示すものである。
【００７６】
ここで、ＲＦＮは、無線制御装置１０フレーム用のフレームナンバーカウンターであり、ＢＦＮは、基地局２０Ａ共通フレーム用のフレームナンバーカウンターであり、ＳＦＮは、セル１-１固有フレーム用のフレームナンバーカウンターであり、ＭＦＮは、セル１-１共通チャネルフレーム用のフレームナンバーカウンターである。
【００７７】
また、基地局２０Ａ共通フレームは、基地局２０Ａによって管理されている全てのセル１-１、１-２等において共通して用いられる。また、セル１-１固有フレームは、セル１-１における報知チャネルによって送信され、パイロットチャネルや同期チャネル等の共通制御チャネルも同一タイミングで送信される。また、セル１-１共通チャネルフレームは、セル１-１において、共通チャネル（マルチキャストデータ）に適用される。
【００７８】
本変更例１に係る移動通信システムにおいて、無線制御装置１０と基地局２０Ａとの間のノード間同期確立時に、無線制御装置１０フレームの送信タイミング（ＲＦＮのタイミング）と基地局２０Ａ共通フレームの送信タイミング（ＢＦＮのタイミング）との差である「ＲＦＮ_ＢＦＮタイミングオフセット（ノード間同期確立時に取得するタイミング差情報）」が取得されるように構成されている。
【００７９】
また、基地局２０Ａ共通フレームの送信タイミング（ＢＦＮのタイミング）とセル１-１固有フレームの送信タイミング（ＳＦＮのタイミング）との差である「ＢＦＮ_ＳＦＮタイミングオフセット（セル固有タイミングオフセット）Ｔ１」は、基地局２０Ａによって管理されている。「ＢＦＮ_ＳＦＮタイミングオフセットＴ１」は、無線制御装置１０によって指定されるように構成されていてもよい。
【００８０】
また、セル１-１固有フレームの送信タイミング（ＳＦＮのタイミング）とセル１-１共通チャネルフレームの送信タイミング（ＭＦＮのタイミング）との差である「ＳＦＮ_ＭＦＮタイミングオフセット（セル共通チャネルタイミングオフセット）ＴＣ１」は、無線制御装置１０によって指定されるように構成されている。
【００８１】
ここで、無線制御装置１０の遅延時間測定部１１は、「ＢＦＮ_ＳＦＮタイミングオフセットＴ１」と「ＳＦＮ_ＭＦＮタイミングオフセットＴＣ１」との和である「ＢＦＮ_ＭＦＮタイミングオフセットＴ２」、及び、「ＲＦＮ_ＢＦＮタイミングオフセット」とを用いて上述の遅延時間（図１１の例では、「ＲＦＮ_ＢＦＮタイミングオフセット」-「ＢＦＮ_ＭＦＮタイミングオフセットＴ２」）を算出することができる。
【００８２】
したがって、例えば、無線制御装置１０の送信タイミング制御部１３が、上述の遅延時間に基づいて、「ＳＦＮ_ＭＦＮタイミングオフセットＴＣ１」を調整することによって、移動局における複数のセルからの下り共通チャネルの受信及び合成を実現することができる。
【００８３】
（変更例２）
本発明の変更例２に係る移動通信システムにおいて、無線制御装置１０の遅延時間測定部１１は、無線制御装置１０と基地局２０Ａ及び２０Ｂとの間の共通チャネル同期確立時に取得するタイミング差情報に基づいて、上述の遅延時間を測定するように構成されていてもよい。
【００８４】
具体的には、図１２に示すように、無線制御装置１０と基地局２０Ａ及び２０Ｂとの間の共通チャネル同期確立時に、無線制御装置１０は、基地局２０Ａ及び２０Ｂのそれぞれに対して、共通チャネル同期要求信号を送信し、各基地局２０Ａ及び２０Ｂは、当該共通チャネル同期要求信号に応じて、共通チャネル同期応答信号を無線制御装置１０に対して送信する。遅延時間測定部１１は、このときに受信した共通チャネル同期応答信号から上述のタイミング差情報を取得する。
【００８５】
例えば、無線制御装置１０の遅延時間測定部１１は、上述の共通チャネル同期確立時に、上述のタイミング差情報として、無線制御装置１０フレームの送信タイミング（ＲＦＮのタイミング）と各セルにおけるセル共通チャネルフレームの送信タイミング（ＭＦＮのタイミング）との差を取得して、上述の遅延時間を測定することができる。
【００８６】
そして、無線制御装置１０の送信タイミング制御部１３が、上述の遅延時間に基づいて、「ＳＦＮ_ＭＦＮタイミングオフセットＴＣ１」を調整することによって、移動局における複数のセルからの下り共通チャネルの受信及び合成を実現することができる。
【００８７】
以上、本発明を実施例により詳細に説明したが、当業者にとっては、本発明が本願中に説明した実施例に限定されるものではないということは明らかである。本発明の装置は、特許請求の範囲の記載により定まる本発明の趣旨及び範囲を逸脱することなく修正及び変更態様として実施することができる。従って、本願の記載は、例示説明を目的とするものであり、本発明に対して何ら制限的な意味を有するものではない。
【図面の簡単な説明】
【００８８】
【図１】本発明の実施形態に係る移動通信システムの全体構成図である。
【図２】本発明の第１の実施形態に係る無線制御装置の機能ブロック図である。
【図３】本発明の第１の実施形態に係る無線制御装置の遅延時間測定部によって遅延時間を測定する方法を説明するための図である。
【図４】本発明の第１の実施形態に係る無線制御装置の遅延時間記憶部における記憶内容の一例を示す図である。
【図５】本発明の第１の実施形態に係る移動通信システムにおいて、複数のセルに対して下り共通チャネルを送信する方法を説明するための図である。
【図６】本発明の第１の実施形態に係る移動通信システムの動作を示すフローチャートである。
【図７】本発明の第２の実施形態に係る無線制御装置の遅延時間記憶部における記憶内容の一例を示す図である。
【図８】本発明の第２の実施形態に係る移動通信システムにおいて、複数のセルに対して下り共通チャネルを送信する方法を説明するための図である。
【図９】本発明の第２の実施形態に係る基地局の機能ブロック図である。
【図１０】本発明の第２の実施形態に係る移動通信システムの動作を示すフローチャートである。
【図１１】本発明の変更例１に係る無線制御装置の遅延時間測定部によって遅延時間を測定する方法を説明するための図である。
【図１２】本発明の変更例２に係る無線制御装置の遅延時間測定部によって遅延時間を測定する方法を説明するための図である。
【符号の説明】
【００８９】
１０…無線制御装置
１１…遅延時間測定部
１２…遅延時間記憶部
１３…送信タイミング制御部
２０Ａ、２０Ｂ…基地局
２１…セル用１-１処理部
２１…セル用１-２処理部
２１ａ、２２ａ…信号受信部
２１ｂ、２２ｂ…送信タイミング情報受信部
２１ｃ、２２ｃ…信号送信部
【図１】
0004649203.tif 000002
【図２】
0004649203.tif 000003
【図３】
0004649203.tif 000004
【図４】
0004649203.tif 000005
【図５】
0004649203.tif 000006
【図６】
0004649203.tif 000007
【図７】
0004649203.tif 000008
【図８】
0004649203.tif 000009
【図９】
0004649203.tif 000010
【図１０】
0004649203.tif 000011
【図１１】
0004649203.tif 000012
【図１２】
0004649203.tif 000013